【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
光学的パワーが可変の複数の光学群と、１以上の光学群が光軸方向に配置され、該光学的パワーが可変の複数の光学群のパワーを変えてズーミングを行うズーム光学系であって、該光学的パワーが可変の複数の光学群は、各々回転非対称面を含み光軸と異なる方向に移動して光学群内のパワーを変える複数の光学素子Ｌｄを有し、該１以上の光学群には、少なくとも１つの面に関する対称性を持ち光軸方向に移動可能な１以上の光学素子Ｌｓを有する光学群Ｓが含まれていることを特徴とするズーム光学系。
【請求項２】
光学的パワーが可変の複数の光学群と、２以上の光学群が光軸方向に配置され、該光学的パワーが可変の複数の光学群のパワーを変えてズーミングを行うズーム光学系であって、該光学的パワーが可変の複数の光学群は、各々回転非対称面を含み光軸と異なる方向に移動して光学群内のパワーを変える複数の光学素子Ｌｄを有し、該２以上の光学群には、少なくとも１つの面に関する対称性を持ち光軸方向に移動可能な１以上の光学素子Ｌｓを有する光学群Ｓと光学的パワーが不変の光学群Ｃが含まれていることを特徴とするズーム光学系。
【請求項３】
前記光学素子Ｌｓは、ズーミングの際に移動することを特徴とする請求項１又は２のズーム光学系。
【請求項４】
前記光軸方向に移動可能な１以上の光学素子には正の屈折力の光学素子が含まれていることを特徴とする請求項１、２又は３のズーム光学系。
【請求項５】
前記光軸方向に移動可能な１以上の光学素子のうちの１つの光学素子の全ズーム範囲における移動量をｄ、全系の全長をＴとするとき
ｄ／Ｔ＜０．６
なる条件を満足することを特徴とする請求項１〜４のいずれか１項のズーム光学系。
【請求項６】
前記複数の光学素子Ｌｄは、光軸と異なる方向に移動するとき、該複数の光学素子Ｌｄを含む光学群の主点位置が光軸方向であって、該光学群の外側へ移動する形状の光学素子を含んでいることを特徴とする請求項１から５のいずれか１項のズーム光学系。
【請求項７】
前記光学的パワーが可変の複数の光学群のうちの光学群Ａの前側主点位置と後側主点位置を各々ＨＡ、ＨＡ´、該光学群Ａよりも像側の光学群Ｂの前側主点位置と後側主点位置を各々ＨＢ、ＨＢ´とし、物点と前側主点位置ＨＡとの距離をｅｏ、後側主点位置ＨＡ´と前側主点位置ＨＢとの距離をｅ、後側主点位置ＨＢ´と像点との距離をｅｉとし、距離ｅｏと距離ｅｉのうち小さい方をｅ´とするとき、任意のズーム位置において、距離ｅと距離ｅ´は実質的に同一であることを特徴とする請求項１から６のいずれか１項のズーム光学系。
【請求項８】
０．７＜ｅ／ｅ´＜１．４
なる条件を満足することを特徴とする請求項７のズーム光学系。
【請求項９】
前記光学的パワーが可変の複数の光学群のうちの光学群Ａの後側主点位置をＨＡ´、該光学群Ａよりも像側の光学群Ｂの前側主点位置をＨＢ、該光学群Ａの光学的パワーが可変となる領域のうち光学的パワーが正の範囲内において、全系のパワーが最も小さいときと、最も大きいときの後側主点位置ＨＡ´と前側主点位置ＨＢとの距離を各々ｅｔ１、ｅｗ１、該光学群Ａの光学的パワーが可変となる領域のうち光学的パワーが負の範囲内において、全系のパワーが最も小さいときと、最も大きいときの後側主点位置ＨＡ´と前側主点位置ＨＢとの距離を各々ｅｔ２、ｅｗ２とするとき、
ｅｔ１＜ｅｗ１
ｅｔ２＜ｅｗ２
なる条件を満足することを特徴とする請求項１から８のいずれか１項のズーム光学系。
【請求項１０】
前記光学的パワーが可変の複数の光学群のうちの光学群Ａと該光学群Ａよりも像側の光学群を光学群Ｂとするとき、
望遠端から広角端へのズーミングに際して、
該光学群Ａのパワーは正から負へ変化し、
該光学群Ｂのパワーは負から正へ変化し、
全ズーム範囲内において、該光学群Ａと該光学群Ｂの光学的パワーが一致するズーム位置が存在し、
該一致するズーム位置は全ズーム範囲内の中間のズーム位置よりも広角側にあることを特徴とする請求項１〜９のいずれか１項のズーム光学系。
【請求項１１】
前記光学的パワーが可変の複数の光学群のうちの光学群Ａと該光学群Ａよりも像側の光学群Ｂのうち、広角端において光学的パワーの絶対値が大きい方を｜φｇｗ｜max、望遠端において光学的パワーの絶対値が小さい方を｜φｇｔ｜minとするとき
｜φｇｗ｜max＜｜φｇｔ｜min
なる条件を満足することを特徴とする請求項１から１０のいずれか１項のズーム光学系。
【請求項１２】
前記光学的パワーが可変の複数の光学群のうちの光学群Ａと該光学群Ａよりも像側の光学群Ｂのうちで全ズーム範囲における光学的パワーの絶対値の最大値を｜φ｜max、該光学群Ａと光学群Ｂの任意のズーム位置における光学的パワーの合計値をφABとするとき
−｜φ｜max≦φAB≦｜φ｜max
なる条件を満足することを特徴とする請求項１から１１のいずれか１項のズーム光学系。
【請求項１３】
全ズーミング範囲内において、前記複数の光学素子Ｌｄの個々の結像倍率の絶対値の最大値を最小値で割った値のうち最大値をＢｄmax、前記１以上の光学素子Ｌｓの個々の結像倍率の絶対値の最大値を最小値で割った値のうち最小値をＢｓminとするとき
Ｂｓmin＜Ｂｄmax
なる条件を満足することを特徴とする請求項１から１２のいずれか１項のズーム光学系。
【請求項１４】
前記光学的パワーが可変の複数の光学群のうちの光学群Ａの前側主点位置ＨＡの望遠端から広角端へのズーミングによる光軸方向の変化量をΔＨＡ、該光学群Ａよりも像側の光学群Ｂの前側主点位置ＨＢの望遠端から広角端へのズーミングによる光軸方向の変化量をΔＨＢとするとき、変化量ΔＨＡと変化量ΔＨＢのうち大きい方をΔＨｄmaxとし、前記１以上の光学素子Ｌｓの任意の光学素子の前側主点位置の変化量をΔＨＳとするとき
ΔＨＳ＜ΔＨｄmax
なる条件を満足することを特徴とする請求項１から１３のいずれか１項のズーム光学系。
【請求項１５】
光電変換素子に像を形成することを特徴とする請求項１から１４のうちいずれか１項のズーム光学系。
【請求項１６】
請求項１乃至１５のうちいずれか１項のズーム光学系と、該ズーム光学系によって形成される像を受光する光電変換素子とを備えることを特徴とする撮像装置。
【手続補正２】
【補正対象書類名】明細書
【補正対象項目名】００３６
【補正方法】変更
【補正の内容】
【００３６】
尚、光学的パワーとは、光軸上に位置する面のパワーをいい、回転非対称の面を持つ光学素子が偏心して光軸上の面が変化するときは、それに応じて光学群内の光学的パワーも変化する。
【手続補正３】
【補正対象書類名】明細書
【補正対象項目名】００３９
【補正方法】変更
【補正の内容】
【００３９】
同様に光学素子Ｅ３，Ｅ４で第２群Ｇ２（光学群Ｃ）を構成し、光学素子Ｅ５、Ｅ６で第３群Ｇ３を構成している。光学素子Ｅ７で第４群Ｇ４を構成している。面番号については絶対座標系の原点である基準面を面Ｓ０と定め、光学素子Ｅ１の第１面をＳ１とし順に面Ｓ２，Ｓ３，Ｓ４となり、面Ｓ６の後（光学素子Ｅ３の後方）に絞りＳ７（ＳＰ）が位置している。
【手続補正４】
【補正対象書類名】明細書
【補正対象項目名】００５１
【補正方法】変更
【補正の内容】
【００５１】
このとき第１群Ｇ１（光学群Ａ）と第３群Ｇ３（光学群Ｂ）におけるパワーの絶対値の最大値を｜φ｜max、第１群Ｇ１と第３群Ｇ３の合計のパワーをφ１３（φAB）とするとき、
−｜φ｜max≦φ１３≦｜φ｜max・・・・（５）
を満足している。
【手続補正５】
【補正対象書類名】明細書
【補正対象項目名】００５３
【補正方法】変更
【補正の内容】
【００５３】
図１４に第１群Ｇ１（光学群Ａ）および第３群Ｇ３（光学群Ｂ）の前後の主点位置（Ｈ１（ＨＡ）が第１群Ｇ１の前側主点位置、Ｈ1’が第１群Ｇ１の後側主点位置、Ｈ２（ＨＢ）が第３群Ｇ３の前側主点位置、Ｈ２’（ＨＢ’）が第３群Ｇ３の後側主点位置）の変化を示す。第１群Ｇ１をメニスカス形状の光学素子で構成したため、主点位置は大きく移動している。またその変化と図１３を比較すると、第１群Ｇ１のパワーが正の範囲（領域）では全系のパワーが大きくなるにつれて物点方向に移動し、Ｈ１とＨ２の間隔を広げている。
【手続補正６】
【補正対象書類名】明細書
【補正対象項目名】００５４
【補正方法】変更
【補正の内容】
【００５４】
また、第１群Ｇ１のパワーが負の範囲ではやはり全系のパワーが大きくなるにつれて物点方向に移動し、Ｈ１とＨ２の間隔を広げていることが分かる。また、第１群Ｇ１の前側主点位置と後側主点位置をそれぞれＨ１、Ｈ１´とし、第３群Ｇ３の前側主点位置と後側主点位置をそれぞれＨ２、Ｈ２´とし、物点と（前側主点位置ＨＡ）Ｈ１の距離をｅｏ、（後側主点位置ＨＡ´）Ｈ１´と（前側主点位置ＨＢ）Ｈ２の距離をｅ、（後側主点位置ＨＢ´）Ｈ２´と像点との距離をｅｉとし、距離ｅｏと距離ｅｉを比較して小さい方を距離ｅ´としたとき、距離ｅと距離ｅ´、およびｅ／ｅ´の関係を表１１に示す。これを見ると、どのズーム位置においてもｅとｅ´は実質的に同一である。
【手続補正７】
【補正対象書類名】明細書
【補正対象項目名】００５７
【補正方法】変更
【補正の内容】
【００５７】
又本実施例では全ズーミング範囲内（全ズーム範囲内）において、光学的パワーが可変の複数の光学群Ｇ１，Ｇ３のうちの複数の光学素子Ｅ１，Ｅ２，Ｅ５，Ｅ６の個々の結像倍率の絶対値の最大値を最小値で割った値のうち最大値をＢｄmax、光軸方向に移動可能な１以上の光学素子（本実施例では光学素子Ｅ７のみ）Ｅ７の個々の結像倍率の絶対値の最大値を最小値で割った値のうち最小値をＢｓminとするとき
Ｂｓmin＜Ｂｄmax
なる条件を満足している。
【手続補正８】
【補正対象書類名】明細書
【補正対象項目名】００８４
【補正方法】変更
【補正の内容】
【００８４】
また、第１群Ｇ１（光学群Ａ）と第２群Ｇ２（光学群Ｂ）のパワー変化φ１,φ２の交点（一致）がズーム中間位置よりも光学的パワーが大きい（広角端）側に位置（存在）している。これによりズーミングを効果的に行っている。